(57)【要約】【課題】  磁気共鳴物質の粉末利用という事実が漏洩した場合であっても、基板ボックスが開封された場合には、目視では確認できない痕跡が残るパチンコ機１などを提供する。【解決手段】  最初の封止後、３回は開封および再封止ができる基板ボックス５０と、基板ボックス５０の最初の封止時に破壊しなければ取り外せないように基板ボックス５０に装着されるキャップ１４０、１４４と、基板ボックス５０の再封止時に破壊しなければ取り外せないように基板ボックス５０に装着され、キャップ１４０、１４４と同一の形状を有するキャップ１４１〜１４３、１４５〜１４７と、を備え、キャップ１４１〜１４３、１４５〜１４７に含有されている磁気共鳴物質の粉末が、キャップ１４０、１４４に含有されている磁気共鳴物質の粉末が有する固有の周波数を基準にして所定の範囲内に固有の周波数を有するものとされる。【選択図】図５
2008125920.tif 000002
【特許請求の範囲】
【請求項１】
遊技に関するプログラムが記憶されたＲＯＭと、前記ＲＯＭが実装された回路基板と、を備えた遊技機において、
前記回路基板が収納された状態で封止され、最初の封止後、少なくとも１回は開封および再封止ができる基板ボックスと、
前記基板ボックスの最初の封止時に、破壊しなければ取り外せないように前記基板ボックスに装着される第１部材と、
前記基板ボックスの再封止時に、破壊しなければ取り外せないように前記基板ボックスに装着される、前記第１部材と同一の形状を有する第２部材と、
を備え、
前記第１部材と前記第２部材とは、磁気共鳴物質の粉末を含有し、
前記第２部材に含有されている磁気共鳴物質の粉末は、前記第１部材に含有されている磁気共鳴物質の粉末が有する固有の周波数を基準にして所定の範囲内に固有の周波数を有するものである、
ことを特徴とする遊技機。
【発明の詳細な説明】
【技術分野】
【０００１】
本発明は、パチンコ機、スロットマシン、アレンジボール機、雀球機などの遊技機に関し、特に、回路基板を収容する基板ボックスを備えた遊技機に関する。
【背景技術】
【０００２】
遊技機においては、ＲＯＭを実装された回路基板が基板ボックスに収納されている。遊技機における遊技は、このＲＯＭに記憶されているプログラムによって制御されているため、特定の遊技者によって基板ボックスが不正に開封され、正規のＲＯＭが偽造されたＲＯＭに取り換えられてしまうと、この特定の遊技者（または、この特定の遊技者と結託した者）が遊技をした場合にのみ遊技が有利に進行するという遊技の制御が可能とされてしまう。このため、従来の遊技機では、ＲＯＭの不正な交換を発見できるように、基板ボックスが、開封された場合に痕跡が残るように封止されていた（特許文献１参照）。
【特許文献１】特開２００１−３０００９１
【発明の開示】
【発明が解決しようとする課題】
【０００３】
ところで、最近は、開封の痕跡が目視では分からないように基板ボックスが開封され、正規のＲＯＭが偽造されたＲＯＭに取り換えられるという不正が増加している。
そこで、磁気共鳴物質の粉末を利用することにより、開封された場合には目視では確認できない痕跡が残る基板ボックスを用いるという手段が考えられる。
しかしながら、磁気共鳴物質の粉末を利用した場合、この利用の事実が漏洩してしまうと、この事実を知った者により、廃棄された遊技機から磁気共鳴物質の粉末を含有する部材が入手され、これを用いて、目視では確認できない痕跡すらも残らないように基板ボックスが開封されてしまうという問題があった。
【０００４】
そこで、本発明は、上記事情に鑑み、磁気共鳴物質の粉末を利用しているという事実が漏洩した場合であっても、基板ボックスが開封された場合には、目視では確認できない痕跡が残る遊技機を提供することを目的とする。
【課題を解決するための手段】
【０００５】
上記課題を解決して上記目的を達成するために、本発明は、遊技に関するプログラムが記憶されたＲＯＭと、ＲＯＭが実装された回路基板と、を備えた遊技機において、ＲＯＭを実装された回路基板が収納された状態で封止され、最初の封止後、少なくとも１回は開封および再封止ができる基板ボックスと、基板ボックスの最初の封止時に、破壊しなければ取り外せないように基板ボックスに装着される第１部材と、基板ボックスの再封止時に、破壊しなければ取り外せないように基板ボックスに装着される、第１部材と同一の形状を有する第２部材と、を備え、基板ボックスの最初の封止時に基板ボックスに装着される第１部材と基板ボックスの再封止時に基板ボックスに装着される第２部材とは、磁気共鳴物質の粉末を含有し、基板ボックスの再封止時に装着される第２部材に含有されている磁気共鳴物質の粉末は、基板ボックスの最初の封止時に装着される第１部材に含有されている磁気共鳴物質の粉末が有する固有の周波数を基準にして所定の範囲内に固有の周波数を有するものである、ことを特徴とする。
【０００６】
一般に、基板ボックスは、開封を伴う検査を一度行っても利用し続けることができるように、最初の封止後、少なくとも１回は開封および再封止ができるように構成されている。しかしながら、開封を伴う検査は、実際上ほとんど行われない。このため、上記のような基板ボックスは、多くの場合、２回目以降の封止（再封止）が施されることなく、廃棄される。
【０００７】
ここで、最初の封止時に使用された部材（第１部材）は、破壊しなければ取り外せないように装着されているため、廃棄された基板ボックスから容易に取り外すことができない。しかしながら、２回目以降の封止時（再封止時）に使用する予定であった部材（第２部材）は、破壊することなく廃棄された基板ボックスから取り外せる。このため、廃棄された基板ボックスに使用されている第２部材は、容易に再利用することができる。
【０００８】
したがって、不正を試みる者は、店舗において第１部材を破壊して基板ボックスを開封し、この破壊した第１部材に代わる新たな第１部材として、廃棄された基板ボックスから入手した第２部材を容易に使用することができる。このような不正がなされた場合、第２部材は第１部材と同一の形状を有しているため、店舗で使用されている基板ボックスには目視で確認できる痕跡が残らない。
【０００９】
しかしながら、本発明によれば、第１部材と第２部材とに磁気共鳴物質の粉末が含有され、第２部材に含有されている磁気共鳴物質の粉末が、第１部材に含有されている磁気共鳴物質の粉末が有する固有の周波数を基準にして所定の範囲内に固有の周波数を有するものとされる。このため、破壊された第１部材に代わる新たな第１部材として、廃棄された基板ボックスから入手した第２部材を使用すると、店舗で使用されている基板ボックスに装着された第２部材に含有されている磁気共鳴物質の粉末が、新たな第１部材に含有される磁気共鳴物質の粉末が有する固有の周波数を基準にして所定の範囲内に固有の周波数を有するものではなくなり、第１部材と第２部材とに含有している磁気共鳴物質の粉末の組み合わせが異なるものとなる。
【００１０】
したがって、本発明によれば、破壊された第１部材に代わる新たな第１部材として、廃棄された基板ボックスから入手した第２部材が使用された場合には、第１部材と第２部材とに含有している磁気共鳴物質の粉末の組み合わせが異なるという、目視では確認できない痕跡が基板ボックスに残る。
【００１１】
そして、基板ボックスの封止時に使用される部材に磁気共鳴物質の粉末が含有されているという事実を知ったというだけで、上記組み合わせに関する事実を知らない場合には、磁気共鳴物質の粉末が含有されている第２部材を新たな第１部材として使用することはできるものの、第１部材と第２部材とに含有されている磁気共鳴物質の粉末の組み合わせを正しい組み合わせにすることまではできない。このため、本発明による上記痕跡は、基板ボックスの封止時に使用される部材に磁気共鳴物質の粉末が含有されているという事実が漏洩したか否かにかかわらず、残る。
【発明の効果】
【００１２】
基板ボックスの封止時に使用される部材に磁気共鳴物質の粉末が含有されているという事実を知ったというだけでは、磁気共鳴物質の粉末が含有されている部材を新たな第１部材として使用することはできるものの、第１部材と第２部材とに含有されている磁気共鳴物質の粉末の組み合わせを正しい組み合わせにすることまではできない。したがって、本発明によれば、基板ボックスの封止時に使用される部材に磁気共鳴物質の粉末が含有されているという事実が漏洩した場合であっても、基板ボックスが開封された場合には、目視では確認できない痕跡が遊技機に残り、磁気共鳴物質の磁気共鳴現象を利用して、基板ボックスの不正な開封を検知できる。
【発明を実施するための最良の形態】
【００１３】
以下、本発明の実施の形態に係るパチンコ機について説明する。パチンコ機は、本発明に係る遊技機の一例である。
【００１４】
＜パチンコ機１の概略構成＞
まず、図１、図２を参照して、実施形態に係るパチンコ機の概略構成について説明する。図１は、パチンコ機を示す正面図、図２は、本体枠及び前面枠を開放した状態のパチンコ機を示す斜視図である。
【００１５】
図１、図２に示すように、パチンコ機１は、外枠２、本体枠３、遊技盤４、前面枠５などを備えて構成されている。外枠２は、上下左右の枠材によって縦長四角形の枠状に形成され、外枠２の前側下部には、本体枠３の下面を受ける下受板６を有している。外枠２の前面一側には、本体枠３が、ヒンジ機構７によって前方へ開閉可能に装着されている。
【００１６】
本体枠３は、前枠体８、遊技盤装着枠９、および機構装着枠１０を合成樹脂材によって一体成形することで構成されている。本体枠３の前側に形成された前枠体８は、外枠２前側の下受板６を除く外郭形状に対応する大きさの矩形枠状に形成されている。なお、本実施形態では、パチンコ機１の正面を視認する視線方向を前側（前面側）とし、これとは反対側（たとえば、前枠体８に対する本体枠３側）を後側（背面側）とする。
【００１７】
遊技盤装着枠９には、前枠体８の開口面前面側から遊技盤４に着脱交換可能に装着されるようになっている。
遊技盤４の盤面には、外レールと内レールとを備えた案内レール１１が設けられている。この案内レール１１の内側に遊技領域１２が区画形成されている。遊技領域１２内には、遊技に関する役物装置、たとえば、センター役物と呼ばれる役物装置４０、図柄表示装置（例えば、液晶表示器、ＥＬ表示器、プラズマ表示器、ＣＲＴ等）４１、電動始動入賞口４２、大入賞口装置４３、アウト口４４などの各種構成部材が配置されている。
【００１８】
遊技盤装着枠９よりも下方に位置する前枠体８の前側下部の一側寄りには、下部スピーカ１４が装着板１３によって装着されている。また、前枠体８前面の下部領域内の上側部分には、遊技盤４の発射通路に向けて遊技球を導く発射レール１５が傾斜状に装着されている。一方、前枠体８前面の下部領域内の下側部分には、下前面部材１６が装着されている。下前面部材１６前面のほぼ中央には、下皿１７が設けられ、片側寄りには操作ハンドル１８が設けられている。
【００１９】
本体枠３（前枠体８）のヒンジ機構７が設けられる側とは反対側となる開放側の後面には、外枠２に対して本体枠３を施錠する機能と、本体枠３に対して前面枠５を施錠する機能とを兼ね備えた施錠装置１９が装着されている。施錠装置１９は、外枠２に設けられた閉止具２０に係脱可能に係合して本体枠３を閉鎖状態に施錠する上下複数の本体枠施錠フック２１と、前面枠５の開放側の後面に設けられた閉止具２２に係脱可能に係合して前面枠５を閉鎖状態に施錠する上下複数の扉施錠フック２３とを備えている。
【００２０】
前枠体８の前側下部においては、下前面部材１６の右端上部に、シリンダー錠２４が設けられている。このシリンダー錠２４の鍵穴に鍵が挿入されて一方向に回動操作されることで、本体枠施錠フック２１と外枠２の閉止具２０との係合が解除されて本体枠３が解錠され、これとは逆方向に鍵が回動操作されることで、扉施錠フック２３と前面枠５の閉止具２２との係合が解除されて前面枠５が解錠されるようになっている。なお、シリンダー錠２４の前端部は、パチンコ機１の前方から鍵を挿入して解錠操作が行えるように、前枠体８および下前面部材１６を貫通して下前面部材１６の前面に露出して配置されている。
【００２１】
本体枠３前面の一側には、前面枠５が、ヒンジ機構２５によって前方へ開閉可能に装着されている。前面枠５は、扉本体フレーム２６、上皿２８を備えて構成されている。扉本体フレーム２６は、プレス加工された金属製フレーム部材によって構成され、前枠体８の上端から下前面部材１６の上縁に亘る部分を覆う大きさに形成されている。扉本体フレーム２６のほぼ中央には、遊技盤４の遊技領域１２を前方から透視可能なほぼ円形状の開口窓３０が形成されている。また、扉本体フレーム２６の後側には、開口窓３０よりも大きい矩形枠状をなす窓枠３１が設けられ、この窓枠３１には、ガラス板３２が装着されている。扉本体フレーム２６の前側には、開口窓３０の周囲において、下部に上皿２８が前面枠８と一体的に設けられ、左右両側部に枠ランプ２７が、上部に上部スピーカ２９が装着されている。
【００２２】
＜パチンコ機１の背面構成＞
次に、図３を参照して、パチンコ機の背面構成について説明する。図３は、パチンコ機の背面図である。
【００２３】
図３に示すように、パチンコ機１の背面上側には、遊技島に設置される球揚送装置から供給される遊技球を貯留する球タンク３３と、球タンク３３と払出装置３４とを接続し、球タンク３３に貯留される遊技球を流下せしめるタンクレール３５と、が配置されている。なお、タンクレール３５によって球タンク３３と接続される払出装置３４は、ユニット状に形成され、タンクレール３５からの遊技球を受け入れて遊技球の払い出しを指示する信号に基づいて所定個数の遊技球を払い出す。
【００２４】
タンクレール３５の下方には、遊技盤４の背面に取り付けられた各種の装置がタンクレール３５から落下した球によって損傷するのを防止すると共に、各装置への不正行為を防止するべく、遊技盤４の背面に取り付けられた各種の装置を覆う保護カバー３６が設けられている。
【００２５】
保護カバー３６の下方には、遊技全体を制御する主基板７０が収容された主基板ボックス５０が配置されている（主基板７０は、本発明における「回路基板」の一例である）。この主基板ボックス５０は、後述するように、ボックス本体５１とカバー体５２とを有しており、このボックス本体５１とカバー体５２とによって、主基板７０を収納し（後述する図５参照）、主基板７０を収納した状態で封止される。主基板７０には、ＣＰＵやＲＡＭやＲＯＭなどの電子部品が実装されている。ＲＯＭには、遊技に関するプログラムが記憶されており、このプログラムがＣＰＵによって実行されることにより、パチンコ機１における遊技が制御される。
【００２６】
本体枠３の背面左端下部には、発射装置３７が取り付けられている。この発射装置３７は、発射レール１５に送られた球を発射する発射ハンマーと、発射ハンマーに往復回動動作を付与する発射モータなどを集約して設けることにより構成され、操作ハンドル１８と関連付けられている。
【００２７】
発射装置３６の右側方には、払出装置制御用の払出基板が収容された払出基板ボックス６０が設けられている。払出基板ボックス６０は、主基板ボックス５０に収容された主基板からの遊技球の払い出しを指示する払出コマンドを受信したことに基づいて払出装置３４を駆動制御する。
【００２８】
なお、主基板ボックス５０、および払出基板ボックス６０は、本発明における「基板ボックス」の一例として示したものである。
【００２９】
＜基板ボックス５０の概略構成＞
次に、図４を参照しつつ、主基板ボックス５０を例に挙げて、基板ボックスの概略構成について説明する。図４は本発明の一実施形態における基板ボックスの斜視図である。
【００３０】
図４に示すように、主基板ボックス５０（以下、「基板ボックス５０」と略す。）は、ボックス本体５１と、このボックス本体５１に組み合わされるカバー体５２とを有している。
【００３１】
ボックス本体５１とカバー体５２とは、その一側でヒンジ連結されており、他側である開放側の左右両端には、封印用締結部５０ａ、５０ｂが設けられている。これら封印用締結部５０ａ、５０ｂは、同じ形状・構成を有している。これら封印用締結部５０ａ、５０ｂによって、ボックス本体５１とカバー体５２とは、主基板７０を収納した状態で締結され、封印される。これらの封印用締結部５０ａ、５０ｂは、次に述べるように、最初の封止後、３回までは開封および再封止ができるように構成されている。
【００３２】
左右の封印用締結部５０ａ、５０ｂには、それぞれ、貫通孔５３ａ〜５３ｄ、５３ｅ〜５３ｈが形成されており、これらの貫通孔５３ａ〜５３ｄ、５３ｅ〜５３ｈには、カシメ部材（詳細は後述する。）が配置されている。
これらの貫通孔５３ａ〜５３ｄ、５３ｅ〜５３ｈは、２つ１組として１組ずつ使用され、本実施の形態では、貫通孔５３ａと貫通孔５３ｅとの組にワンウェイネジ（詳細は後述する。）をねじ込んで、カシメ部材を変形させることにより、ボックス本体５１とカバー体５２とを締結し、基板ボックス５０を封止している（最初の封止）。なお、貫通孔５３ｂと貫通孔５３ｆとの組、貫通孔５３ｃと貫通孔５３ｇとの組、貫通孔５３ｄと貫通孔５４ｈとの組は、２回目以降の封止時（再封止時）に順次使用される。使用する順番を分かりやすくするために、左右の封印用締結部５０ａ、５０ｂには、１〜４の番号が記されている。
【００３３】
ワンウェイネジがねじ込まれた貫通孔５３ａ、５３ｅに装着されるキャップ（詳細は後述する。）は、破壊しなければ取り外せない構造になっている。これにより、ワンウェイネジを無理矢理に回転させたり、引き抜いたりすることが防止される。なお、このキャップは、これを接着剤で貫通孔に固着することにより、破壊しなければ取り外せないようにしてもよい。
【００３４】
次に、引き続き図４を参照しつつ、貫通孔５３ａ、５３ｅを用いて最初の封止が施された基板ボックス５０を例に挙げ、基板ボックス５０を検査のために開封し、再封止する方法について説明する。
基板ボックス５０を検査のために開封する際には、まず、カバー体５２に形成されている三角形状の突起５４ａ、５４ｄがニッパーなどの工具で切除される。この三角形状の突起５４ａ、５４ｄが切除されると、カバー体５２に開口が形成される。つぎに、この開口にニッパーなどの工具が挿入され、切断線ＣＬ１、ＣＬ２、ＣＬ３、ＣＬ４に沿ってカバー体５２が切断される。これにより、ボックス本体５１とカバー体５２とが分離可能とされる。なお、カシメ部材、ワンウェイネジ、およびキャップは、貫通孔５３ａ、５３ｅに取り付けられた状態で維持される。
【００３５】
上記のようにして基板ボックス５０が開封されると、カバー体５２における貫通孔５３ａ、５３ｅを形成された部位が、カバー体５２における他の部位から分離されるので、この分離された部位を用いて、カバー体５２における他の部位とボックス本体５１とを締結することはできない。そこで、開封された基板ボックス５０を再封止する場合には、再封止用の貫通孔５３ｂ、５３ｆにワンウェイネジをねじ込むことにより、これら再封止用の貫通孔５３ｂ、５３ｆに配置されているカシメ部材を変形させ、ボックス本体５１とカバー体５２とを締結し、再封止する。これら再封止用の貫通孔５３ｂ、５３ｆに装着するキャップも、最初の封止時に使用したキャップと同様に、破壊しなければ取り外せない構造になっている。なお、このキャップも、最初の封止時に使用したキャップと同様に、これを接着剤で貫通孔に固着することにより、破壊しなければ取り外せないようにしてもよい。
【００３６】
＜封印用締結部５０ａ、５０ｂの詳細構成＞
次に、図５を参照しつつ、封印用締結部５０ａ、５０ｂについて詳細に説明する。図５は、本発明の一実施形態における基板ボックスの分解斜視図である。
【００３７】
図５に示すように、封印用締結部５０ａ、５０ｂは、それぞれ、カバー体５２の一端に形成された第１の封止部５２ａとボックス本体５１の一端に形成された第２の封止部５１ａとの組み合わせ、カバー体５２の他端に形成された第１の封止部５２ｂとボックス本体５１の他端に形成された第２の封止部５１ｂとの組み合わせにより構成される。
【００３８】
第１の封止部５２ａ、５２ｂには、第１の封止部５２ａ、５２ｂを貫通する孔５５ａ〜５５ｈが形成されており、第２の封止部５１ａ、５１ｂには、第２の封止部５１ａ、５１ｂを貫通する孔５６ａ〜５６ｈが形成されている。
【００３９】
ボックス本体５１とカバー体５２とが組み合わされると、第１の封止部５２ａ、５２ｂに形成された孔５５ａ〜５５ｈと、第２の封止部５１ａ、５１ｂに形成された孔５６ａ〜５６ｈとがそれぞれ連通し、上記した貫通孔５３ａ〜５３ｈが形成される。
【００４０】
このようにして形成された貫通孔５３ａ〜５３ｈには、カシメ部材１１０〜１１７がそれぞれ配置されている。これらのカシメ部材１１０〜１１７は、基板ボックス５０の封止時に、２つ１組として１組ずつ使用される。カシメ部材１１０〜１１７のうち、カシメ部材１１０、１１４は、基板ボックス５０の最初の封止時に使用されるものであり、残りのカシメ部材１１１〜１１３、１１５〜１１７は、基板ボックス５０の再封止時に使用されるものである。
【００４１】
また、貫通孔５３ａ、５３ｅには、ワンウェイネジ１２０、１２４がねじ込まれており、貫通孔５３ｂ〜５３ｄ、５３ｆ〜５３ｈには、ワンウェイネジ１２１〜１２３、１２５〜１２７の先端が挿入されている（ねじ込みは保留されている）。これらワンウェイネジ１２０〜１２７は、基板ボックス５０の封止時に、２つ１組として１組ずつ使用される。ワンウェイネジ１２０〜１２７のうち、ワンウェイネジ１２０、１２４は、基板ボックス５０の最初の封止時に使用されるものであり、ワンウェイネジ１２１〜１２３、１２５〜１２７は、基板ボックス５０の再封止時に使用されるものである。
【００４２】
また、ワンウェイネジ１２０、１２４がねじ込まれた貫通孔５３ａ、５３ｅには、基板ボックス５０の最初の封止時に使用されるキャップ１４０、１４４が装着されている。なお、基板ボックス５０には、キャップ１４０、１４４のほかにも、これらキャップ１４０、１４４と同一の形状を有するキャップ１４１〜１４３、１４５〜１４７が備えられており、これらのキャップ１４１〜１４３、１４５〜１４７は、基板ボックス５０の再封止時に貫通孔５３ｂ〜５３ｄ、５３ｆ〜５３ｈに装着される。キャップ１４０〜１４７は、破壊しなければ取り外せない構造になっている。なお、キャップ１４０〜１４７は、これらを接着剤で貫通孔に固着することにより、破壊しなければ取り外せないようにしてもよい。また、キャップ１４０〜１４７は、基板ボックス５０の封止時に、２つ１組として１組ずつ使用される。
【００４３】
ここで、キャップ１４０、１４４は、本発明における「第１部材」の一例であり、また、キャップ１４１〜１４３、１４５〜１４７は、本発明における「第２部材」の一例であり、これらキャップ１４０、１４４、およびキャップ１４１〜１４３、１４５〜１４７は、それぞれ、磁気共鳴物質の粉末を含有する合成樹脂成形品から構成されている。
【００４４】
ここで、磁気共鳴物質とは、物質ごとに固有の周波数を持ち、この固有の周波数を有する電磁波が照射された場合にのみ、磁気共鳴現象（照射された固有の周波数を有する電磁波を吸収・放出する現象）を示す物質である。物質ごとに固有の周波数を有しているので、ある磁気共鳴物質は、該磁気共鳴物質が持つ固有の周波数を有する電磁波を照射された場合には、該照射された電磁波を吸収・放出する磁気共鳴現象を示すが、該固有の周波数以外の周波数を有する電磁波を照射されても、該照射された電磁波を吸収・放出する磁気共鳴現象を示さない。
【００４５】
このように、磁気共鳴物質の粉末は、種類が異なれば、固有の周波数が異なるが、本実施の形態では、最初の封止時に使用するキャップ１４０、１４４と再封止時に使用するキャップ１４１〜１４３、１４５〜１４７とに、異なる種類の磁気共鳴物質の粉末を含有させている。そして、このようにすることにより、再封止時に使用するキャップ１４１〜１４３、１４５〜１４７に含有させる磁気共鳴物質の粉末を、最初の封止時に使用するキャップ１４０、１４４に含有させる磁気共鳴物質の粉末が有する固有の周波数を基準にして所定の範囲内に固有の周波数を有するものとしている。たとえば、固有の周波数がＡ（Ｈｚ）である磁気共鳴物質の粉末ｘを最初の封止時に使用するキャップ１４０、１４４に含有させる場合には、このＡ（Ｈｚ）を基準にして、Ａ（Ｈｚ）±Ｂ（Ｈｚ）の範囲内に固有の周波数がある磁気共鳴物質の粉末ｙを再封止時に使用するキャップ１４１〜１４３、１４５〜１４７に含有させることとしている。そして、本実施の形態は、当該磁気共鳴物質の粉末ｘと当該磁気共鳴物質の粉末ｙとの組み合わせを、基板ボックス５０が開封されたことを示す痕跡として残すこととした。これにより、本実施の形態によれば、キャップ１４０〜１４７に磁気共鳴物質の粉末が含有されているという事実が漏洩して、たとえば次の（１）〜（７）の手順で進められる不正がなされた場合であっても、目視では確認できない痕跡が基板ボックス５０に残る。
【００４６】
（１）キャップ１４０〜１４７に磁気共鳴物質の粉末が含有されているという事実が漏洩し、この事実を知った者により、たとえば、次のような不正がなされることを想定する。
（２）廃棄されたパチンコ機１の中から、店舗に設置されているパチンコ機１と同一メーカー、同一機種のパチンコ機１を探し出し、このパチンコ機１から、磁気共鳴物質の粉末ｙを含有している再封止時に使用される予定であったキャップ１４１〜１４３、１４５〜１４７のいずれか２つを入手する（なお、同一メーカー、同一機種のパチンコ機は、同じ構成を有する場合が多いので、本実施の形態では、同一メーカー、同一機種のパチンコ機において、磁気共鳴物質の粉末ｘを含有するキャップ１４０、１４４、磁気共鳴物質の粉末ｙを含有するキャップ１４１〜１４３、１４５〜１４７が、共通に用いられているものと仮定して説明する）。
（３）店舗に侵入し、不正を試みるパチンコ機１を定める。
（４）定めたパチンコ機１の基板ボックス５０に装着されている最初の封止時に使用されたキャップ１４０、１４４（磁気共鳴物質の粉末ｘを含有）を破壊して、ワンウェイネジを無理矢理に引き抜き、基板ボックス５０を開封する。
（５）正規のＲＯＭを偽造されたＲＯＭへと交換する。
（６）破壊したキャップ１４０、１４４（磁気共鳴物質の粉末ｘを含有）の代わりに、廃棄されたパチンコ機１から入手したキャップ（磁気共鳴物質の粉末ｙを含有）を基板ボックス５０に装着する。
（７）後日、ＲＯＭを交換したパチンコ機１にて遊技を行う。
【００４７】
このような不正が行われた場合、最初の封止時に使用されるキャップ１４０、１４４と、再封止時に使用されるキャップ１４１〜１４３、１４５〜１４７とは、同一の形状を有しているため、開封の痕跡は目視では分からない。また、破壊されたキャップ１４０、１４４の代わりとして使用されているキャップには、磁気共鳴物質の粉末ｙが含有されているため、磁気共鳴物質の粉末が存在しないという痕跡は残っていない。
しかしながら、破壊されたキャップ１４０、１４４の代わりとして使用されているキャップに含有の磁気共鳴物質の粉末ｙは、店舗で使用されているキャップ１４１〜１４３、１４５〜１４７に含有されている磁気共鳴物質の粉末ｙと同じ種類であり、元々のキャップ１４０、１４４に含有されていた磁気共鳴物質の粉末ｘではない。したがって、この基板ボックス５０においては、磁気共鳴物質の粉末ｘと磁気共鳴物質の粉末ｙとの組み合わせではなく、磁気共鳴物質の粉末ｙと磁気共鳴物質の粉末ｙとの組み合わせが存在しており、磁気共鳴物質の粉末の組み合わせが異なるという痕跡が残っている。
したがって、本実施の形態によれば、キャップ１４０〜１４７に磁気共鳴物質の粉末が含有されているという事実が漏洩した場合であっても、基板ボックス５０が開封された場合には、磁気共鳴物質の粉末の組み合わせが異なるという目視では確認できない痕跡がパチンコ機１に残り、磁気共鳴物質の磁気共鳴現象を利用して、基板ボックス５０の開封を検知できる。
【００４８】
なお、以下では、図６、図７を参照しつつ、最初の封止時に使用される貫通孔５３ａを例に挙げて、ボックス本体５１とカバー体５２とが締結される構造を説明する。なお、貫通孔５３ｂ〜５３ｈを用いてボックス本体５１とカバー体５２とが締結される場合も、貫通孔５３ａを用いてボックス本体５１とカバー体５２とが締結される場合と同様であるので、説明は省略する。図６は、図４におけるＡ−Ａの締結前の断面図であり、図７は、図４におけるＡ−Ａの締結後の断面図である。
【００４９】
第２の封止部５１ａが有する孔５６ａは、第２の封止部５１ａを貫通しており、また、その断面が円形状とされている。この孔５６ａは、段付き穴形状（本実施形態では３段）に形成されており、その内径が、ワンウェイネジ１２０の挿入方向において奥に行くほど大きくなる。
【００５０】
第１の封止部５２ａが有する孔５５ａは、第１の封止部５２ａを貫通しており、また、その断面が角形状とされている。孔５５ａの内壁には、キャップ１４０を係止するための係止溝５７が形成されている。
【００５１】
ボックス本体５１とカバー体５２とが組み合わされると、第２の封止部５１ａが有する孔５６ａと第１の封止部５２ａが有する孔５５ａとが連通し、１つの貫通孔５３ａが形成される。この貫通孔５３ａに、カシメ部材１１０が、第１の封止部５２ａが有する孔５５ａから第２の封止部５１ａが有する孔５６ａに向けて挿入される。ワンウェイネジ１２０は、第１の封止部５２ａが有する孔５５ａから第２の封止部５１ａが有する孔５６ａに向けて挿入され、カシメ部材１１０を変形させる。これにより、ボックス本体５１とカバー体５２とが締結され、基板ボックス５０が封止される。このようにしてボックス本体５１とカバー体５２とが締結、封止された後、さらに、第１の封止部５２ａが有する孔５５ａにキャップ１４０が装着される。このキャップ１４０は、破壊しなければ取り外せない構造になっている。なお、このキャップは、これを接着剤で貫通孔に固着することにより、破壊しなければ取り外せないようにしてもよい。
【００５２】
［カシメ部材１１０］
次に、カシメ部材１１０について詳細に説明する。
カシメ部材１１０は、ネジ孔が形成された筒部１１０ａとフランジ部１１０ｂとを具備する筒状の金属製部材である。カシメ部材１１０の筒部１１０ａには、スリット１１０ｃ（たとえば４分割）が形成されている。また、カシメ部材１１０の筒部１１０ａは、その内壁が先細のテーパ状とされており、先端にいくほど内径が小さくなる。このため、カシメ部材１１０の筒部１１０ａは、これにワンウェイネジ１２０がねじ込まれると、スリット１１０ｃから切り割れて、径方向に拡開するものとなっている。
フランジ部１１０ｂの形状は、断面が角形状である第１の封止部５２ａが有する孔５５ａに対応して角形状とされており、これにより、カシメ部材１１０は、孔５５ａにおいてまわり止めされる。
このカシメ部材１１０は、そのフランジ部１１０ｂが、第１の封止部５２ａが有する孔５５ａの最も奥に形成された底面５８に突き当たるまで、孔５５ａに押し込まれる。このとき、カシメ部材１１０の筒部１１０ａは、底面５８を超えて、第２の封止部５１ａが有する孔５６ａの内部にまで挿入される。
【００５３】
［ワンウェイネジ１２０］
次に、ワンウェイネジ１２０について詳細に説明する。
ワンウェイネジ１２０は、ねじ込み方向にしか回転させることができない金属製のネジである。このワンウェイネジ１２０が、カシメ部材１１０にねじ込まれて、筒部１１０ａがスリット１１０ｃから切り割れ拡開されると、筒部１１０ａの外面が、第２の封止部５１ａが有する孔５６ａの段付き部分の内壁に当接する。これにより、切り割れて拡開している筒部１１０ａが、第２の封止部５１ａが有する孔５６ａの段付き部分の内壁に引っ掛かり、カシメ部材１１０は、これをボックス本体５１側からカバー体５２側に向けて取り外すことができなくなる。なお、カシメ部材１１０は、カシメ部材１１０のフランジ部１１０ｂが第１の封止部５２ａの孔５５ａの最も奥に形成された底面５８に引っ掛かっているので、これをカバー体５２側からボックス本体側５１に向けて取り外すことができない。
【００５４】
ワンウェイネジ１２０は、上記のように、ねじ込み方向にしか回転させることができないネジであるため、これをボックス本体５１側からカバー体５２側に向けて取り外すことはできない。このため、ワンウェイネジ１２０は、カシメ部材１１０の筒部１１０ａに挿入されたままとなる。したがって、カシメ部材１１０の筒部１１０ａは、スリット１１０ｃから切り割れて拡開した状態で維持される。これにより、切り割れて拡開している筒部１１０ａが、第２の封止部５１ａが有する孔５６ａの段付き部分の内壁に引っ掛かったままとなり、ボックス本体５１とカバー体５２は、分離させることができないように締結されて、封止される。
【００５５】
［キャップ１４０］
つぎに、キャップ１４０について詳細に説明する。
キャップ１４０は、上述したように磁気共鳴物質の粉末を含有する合成樹脂成形品から構成され、本体部分１４０ａと、この本体部分１４０ａにおける一組の対辺に形成された一対の係止爪１４０ｂとを具備している。キャップ１４０の本体部分１４０ａは、第１の封止部５２ａが有する孔５５ａの形状に対応して、断面が角型の形状をしており、その一辺の長さが、孔５５ａの内径Ｈよりも僅かに小さく、孔５５ａに内接する。
【００５６】
一対の係止爪１４０ｂは、先端にいくに従って拡開されている。また、一対の係止爪１４０ｂにおける一方の先端と他方の先端との間隔Ｄは、第１の封止部５２ａが有する孔５５ａの内径Ｈよりも僅かに大きく設定されている（Ｄ＞Ｈ）。このため、この一対の係止爪１４０ｂは、第１の封止部５２ａが有する孔５５ａに本体部分１４０ａが挿入されると、孔５５ａの内壁によって、互いに近接する方向（幅Ｄを狭める方向）に僅かに弾性変形する。
【００５７】
一対の係止爪１４０ｂは、第１の封止部５２ａの孔５５ａに形成された係止溝５７に達すると、弾性変形前の状態、すなわち、孔５５ａに挿入される前の状態に戻り、係止溝５７に係合される。これにより、キャップ１４０は、第１の封止部５２ａが有する孔５５ａに係止され、破壊されない限り、孔５５ａから取り外すことができなくなる。第１の封止部５２ａが有する孔５５ａは、キャップ１４０の本体部分１４０ａによって封鎖され、ワンウェイネジ１２０を無理矢理に回転させたり、引き抜いたりすることができなくなる。
【００５８】
なお、キャップ１４０〜１４７は、これらを磁気共鳴物質の粉末が混練された合成樹脂材を成形して構成すれば、キャップ１４０〜１４７において、磁気共鳴物質の粉末が均一に存在することとなり、キャップ１４０〜１４７のどの部分に電磁波を照射しても、磁気共鳴現象を検出することができる。
【００５９】
また、最初の封止時に使用するキャップ１４０、１４４に含有させる磁気共鳴物質の粉末ｘと再封止時に使用するキャップ１４１〜１４３、１４５〜１４７に含有させる磁気共鳴物質の粉末ｙとの組み合わせは、パチンコ機１の機種や製造番号や工場からの出荷の時期などの別に従って、異ならしめてもよい。このようにすれば、廃棄されたパチンコ機１が分析されることによって、上記組み合わせが解明されてしまう、ということが防止される。
ただし、機種や製造番号などが異なる場合であっても、最初の封止時に使用するキャップ１４０、１４４に含有させる磁気共鳴物質の粉末ｘは、再封止時に使用するキャップ１４１〜１４３、１４５〜１４７に含有させないようにすることができる（たとえば、機種が異なるパチンコ機Ａ、Ｂ、Ｃに用いる磁気共鳴物質の粉末の組み合わせを、「第１部材ｘ、第２部材ｒ」、「第１部材ｘ、第２部材ｓ」、「第１部材ｘ、第２部材ｔ」とするなど）。このようにすれば、再封止時に使用するキャップ１４１〜１４３、１４５〜１４７に磁気共鳴物質の粉末ｘが含有されていることがないため、廃棄されたパチンコ機１から再封止時に使用される予定であったキャップ１４１〜１４３、１４５〜１４７のいずれかを入手して、これを店舗に設置されているパチンコ機１のキャップ１４０、１４４の代わりとして使用した場合には、店舗に設置されているパチンコ機１において、磁気共鳴物質の粉末ｘが必ずや存在しないこととなり、不正の前後においては、磁気共鳴物質の粉末の組み合わせが常に異なることとなる。
【００６０】
キャップ１４０〜１４７に含有させる磁気共鳴物質の種類は、再封止時に使用されるキャップ１４１〜１４３、１４５〜１４７に含有されている磁気共鳴物質の粉末が、最初の封止時に使用されるキャップ１４０、１４４に含有されている磁気共鳴物質の粉末が有する固有の周波数を基準にして所定の範囲内に固有の周波数を有するものとされる限り、特に限定されるものではなく、無線周波数を有する電磁波を照射した場合に、たとえば、磁気共鳴（ＮＭＲ）、電子四重極共鳴（ＮＱＲ）、電子スピン共鳴（ＥＳＲ）、強磁性共鳴（ＦＲ）、フェリ磁性共鳴（ＦＥＲ）、反フェリ磁性共鳴（ＡＦＥＲ）、磁区壁共鳴（ＤＷＲ）、スピン波共鳴（ＳＷＲ）を示す物質などを用いることができる。
【００６１】
もっとも、キャップ１４０〜１４７に含有させる磁気共鳴物質としては、特に、零磁場（０．５ｍＴ以下の磁場）または非常に弱い磁場において特定の周波数を有する電磁波を照射した場合に磁気共鳴現象を示す物質、たとえば、（１）零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体、（２）零磁場（０．５ｍＴ以下の磁場）において核四極子共鳴現象を示す物質、（３）非常に弱い磁場において電子スピン共鳴現象を示す物質、（４）零磁場（０．５ｍＴ以下の磁場）において電気／磁気双極子またはスタークーゼーマンサブレベル間のトンネル遷移に起因する共鳴現象を示す物質を用いることが好ましい。
【００６２】
このように、零磁場（０．５ｍＴ以下の磁場）または非常に弱い磁場において特定の周波数を有する電磁波を照射した場合に磁気共鳴現象を示す物質によれば、磁気共鳴現象を検知するに際して磁気共鳴物質に外部磁界をかける必要がないため、電磁波照射検出器２００に外部磁界を発生させる磁石やコイルなどを設ける必要がなく、電磁波照射検出器２００を小型化することができる。これにより、非常に多くの部品が入り組んで配置されたパチンコ機１においても、キャップ１４０〜１４７に電磁波を的確に照射でき、また、キャップ１４０〜１４７からの磁気共鳴現象を的確に検出できる。
【００６３】
零磁場（０．５ｍＴ以下の磁場）または非常に弱い磁場において特定の周波数を有する電磁波を照射した場合に磁気共鳴現象を示す物質としては、上述したように、（１）零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体、（２）零磁場（０．５ｍＴ以下の磁場）において核四極子共鳴現象を示す物質、（３）非常に弱い磁場において電子スピン共鳴現象を示す物質、（４）零磁場（０．５ｍＴ以下の磁場）において電気／磁気双極子またはスタークーゼーマンサブレベル間のトンネル遷移に起因する共鳴現象を示す物質が、一例として挙げられる。これらの物質について具体的な物質名を挙げると以下のようになる。
【００６４】
（１）  零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体としては、たとえば、磁気的に配向した金属、合金、配位化合物または有機化合物に含まれる５５Ｍｎ、５７Ｆｅ、５９Ｃｏなどがある。
【００６５】
（２）  零磁場（０．５ｍＴ以下の磁場）において核四極子共鳴現象を示す物質としては、１１Ｂ、３５Ｃ１、７５Ａｓ、７９Ｂｒ、８１Ｂｒ、１２７Ｉなどがある。
【００６６】
（３）  非常に弱い磁場において電子スピン共鳴現象を示す物質としては、イオンラジカル塩、リチウムフタロシアニンまたはガンマ線照射融解石英などがある。
【００６７】
（４）  零磁場（０．５ｍＴ以下の磁場）において電気／磁気双極子またはスタークーゼーマンサブレベル間のトンネル遷移に起因する共鳴現象を示す物質としては、混合原子価またはヤーン−テラー結晶を持つラージクラスの配位化合物などがある。
【００６８】
以上、本実施の形態に係るパチンコ機１について説明したが、上記で説明したワンウェイネジ１２０〜１２７は、これに限らず、たとえば、ねじ込み方向および反ねじ込み方向に回転することができるビスや、鋲、ピン、タッピングねじなど、ボックス本体５１とカバー体５２とを締結できるものであれば何でも用いることができる。
【００６９】
また、本実施の形態では、キャップ１４０〜１４７を基板ボックス５０に装着したが、これに限らず、たとえば、第１の封止部５２ａが有する孔５５ａに、破壊しなければ取り外せない構造の円柱体や角柱体などを装着することもできる。この場合、最初の封止時に使用される円柱体や角柱体などは、本発明における「第１部材」に相当し、再封止時に使用される円柱体や角柱体などは、本発明における「第２部材」に相当する。
【００７０】
今回開示された実施の形態はすべての点で例示であって制限的なものではないと考えられるべきである。本発明の範囲は上述した説明ではなくて特許請求の範囲によって示され、特許請求の範囲と均等の意味及び範囲内でのすべての変更が含まれることが意図される。
【００７１】
以下、本発明の変形例について説明する。
【００７２】
（１）  本実施の形態では、再封止時に使用されるキャップ１４１〜１４３、１４５〜１４７に含有される磁気共鳴物質の粉末ｙが、最初の封止時に使用されるキャップ１４０、１４４に含有される磁気共鳴物質の粉末ｘが有する固有の周波数Ａ（Ｈｚ）を基準にして、所定の範囲の一例であるＡ（Ｈｚ）±Ｂ（Ｈｚ）の範囲内に固有の周波数を有するものとしたが、本発明は、所定の範囲の定め方を限定するものではない。本発明においては、たとえば、再封止時に使用されるキャップ１４１〜１４３、１４５〜１４７に含有される磁気共鳴物質の粉末ｙを、最初の封止時に使用されるキャップ１４０、１４４に含有される磁気共鳴物質の粉末ｘが有する固有の周波数Ａ（Ｈｚ）を基準にして、Ａ（Ｈｚ）×Ｂ（Ｈｚ）となる固有の周波数を有するものや、Ａ（Ｈｚ）÷Ｂ（Ｈｚ）となる固有の周波数を有するものとすることもできる。
【００７３】
（２）  本実施の形態では、第２の封止部５１ａ、５１ｂに設けた孔５６ａ〜５６ｈが貫通孔である場合について説明したが、孔５６ａ〜５６ｈは、貫通孔でなくてもよい。
【００７４】
（３）  本実施の形態では、カバー体５２の端部に第１の封止部５２ａ、５２ｂを設け、ボックス本体５１の端部に第２の封止部５１ａ、５１ｂを設けたが、これに限らず、第１の封止部５２ａ、５２ｂをボックス本体５１の端部に設け、第２の封止部５１ａ、５１ｂをカバー体５２の端部に設けてもよい。
【００７５】
（４）  本実施形態では、パチンコ機を例に挙げて説明をしたが、これに限らず、スロットマシン、アレンジボール機、雀球機などの遊技機に適用してもよい。
【図面の簡単な説明】
【００７６】
【図１】本発明の一実施形態におけるパチンコ機の正面図である。
【図２】本発明の一実施形態におけるパチンコ機の本体枠および前面枠を開放した状態を示す斜視図である。
【図３】本発明の一実施形態におけるパチンコ機の背面図である。
【図４】本発明の一実施形態における基板ボックスの斜視図である。
【図５】本発明の一実施形態における基板ボックスの分解斜視図である。
【図６】図４におけるＡ−Ａの締結前の断面図である。
【図７】図４におけるＡ−Ａの締結後の断面図である。
【符号の説明】
【００７７】
１  パチンコ機
２  外枠
３  本体枠
４  遊技盤
５  前面枠
６  下受板
７  ヒンジ機構
８  前枠体
９  遊技盤装着枠
１０  機構装着枠
１１  案内レール
１２  遊技領域
１３  装着板
１４  下部スピーカ
１５  発射レール
１６  下前面部材
１７  下皿
１８  操作ハンドル
１９  施錠装置
２０  閉止具
２１  本体枠施錠フック
２２  閉止具
２３  扉施錠フック
２４  シリンダー錠
２５  ヒンジ機構
２６  扉本体フレーム
２７  枠ランプ
２８  上皿
２９  上部スピーカ
３０  開口窓
３１  窓枠
３２  ガラス板
３３  球タンク
３４  払出装置
３５  タンクレール
３６  保護カバー
３７  発射装置
４０  役物装置
４１  図柄表示装置
４２  電動始動入賞口
４３  大入賞口装置
４４  アウト口
５０  主基板ボックス
５０ａ、５０ｂ    封印用締結部
５１  ボックス本体
５１ａ、５１ｂ  第２の封止部
５２  カバー体
５２ａ、５２ｂ  第１の封止部
５３ａ〜５３ｈ  貫通孔
５４ａ〜５４ｆ  三角形状の突起
５５ａ〜５６ｈ  孔
５７  係止溝
５８  底面
６０  払出基板ボックス
７０  主基板
１１０  カシメ部材
１１０ａ  筒部
１１０ｂ  フランジ部
１１０ｃ  スリット
１１１〜１１７  カシメ部材
１２０〜１２７  ワンウェイネジ
１４０〜１４７  キャップ
１４０ａ  本体部分
１４０ｂ  一対の係止爪
２００    電磁波照射検出器
Ｈ  孔５５ａの内径
Ｄ  一対の係止爪における一方の先端と他方の先端との間隔
ＣＬ１〜ＣＬ４  切断線
【図１】
2008125920.tif 000003
【図２】
2008125920.tif 000004
【図３】
2008125920.tif 000005
【図４】
2008125920.tif 000006
【図５】
2008125920.tif 000007
【図６】
2008125920.tif 000008
【図７】
2008125920.tif 000009